(57)【特許請求の範囲】
【請求項１】
機器本体を片手で保持して片手操作可能にしたものにおいて、筐状体からなる機器本体の上側面の何れかの角部において該上側面、天面及び左または右の横側面或いは上記上側面、底面及び左または右の横側面の内の何れかの３つの面に亙って面取りをして傾斜面を形成し、該傾斜面に上記機器本体内に設けた操作スイッチを操作する操作ノブを少なくとも１つ配設したことを特徴とする片手操作可能な携帯型電子機器。
【請求項２】
上記傾斜面に通孔を設け、上記操作スイッチのスイッチ軸を上記通孔を通して上記傾斜面上に臨出させてその先端に上記操作ノブを固着したことを特徴とする請求項１に記載した片手操作可能な携帯型電子機器。
【請求項３】
上記操作ノブの外形を上記傾斜面の外形より大きくするとともに上記操作ノブの周縁部を上記機器本体の対向する面に平行に形成したことを特徴とする請求項１又は２に記載の片手操作可能な携帯型電子機器。
【請求項４】
上記操作ノブを上記傾斜面上で摺動させるようししてスクロールできる構成とし、該スクロール動作によって上記操作スイッチを制御するようにしたことを特徴とする請求項１〜３のいずれかに記載の片手操作可能な携帯型電子機器。
【請求項５】
機器本体を片手で保持して片手操作可能にしたものにおいて、筐状体からなる機器本体の上側面の角部において該上側面、天面及び左の横側面に跨る部分と上記上側面、天面及び右横側面に跨る部分にそれぞれ傾斜面を形成し、これら両傾斜面に操作ノブを配設するとともにこれら操作ノブで操作される操作スイッチをそれぞれ上記機器本体内にもうけたことを特徴とする片手操作可能な携帯型電子機器。
【請求項６】
上記機器本体の上側面の角部の対角の位置に上記傾斜面を設け、これら２つの傾斜面にそれぞれ上記操作ノブを配設するとともにこれら操作ノブで操作される操作スイッチをそれぞれ上記機器本体内に設けたことを特徴とする請求項１〜４のいずれかに記載の片手操作可能な携帯型電子機器。
【請求項７】
機器本体を片手で保持して片手操作可能にしたものにおいて、筐状体からなる機器本体の上側面の角部において該上側面、天面及び左の横側面に跨る部分と上記上側面、天面及び右横側面に跨る部分にそれぞれ操作ノブの連結軸を通す通孔を有する傾斜面を形成するとともに上記機器本体内にこれら各傾斜面に対応して操作スイッチを設け、上記傾斜面の何れか１つに操作ノブを配設することにより該操作ノブが配設された傾斜面に対応する上記操作スイッチを選択して操作できるようにしたことを特徴とする片手操作可能な携帯型電子機器。
【請求項８】
上記傾斜面のうち上記操作ノブを配設しない傾斜面の通孔をキャップで閉塞するようにしたことを特徴とする請求項７に記載された片手操作可能な携帯型電子機器。
【請求項９】
上記機器本体に上記操作スイッチ、電源スイッチ等の各種スイッチのＯＮ、ＯＦＦ操作を無効にするロックスイッチを設けたことを特徴とする請求項１〜８のいずれかに記載の片手操作可能な携帯型電子機器。
【発明の詳細な説明】
【０００１】
【発明の属する技術分野】
本発明は、携帯電話、ＰＤＡ、或いはその他情報端末等の片手操作可能な携帯型電子機器に関するものである。
【０００２】
【従来の技術】
従来の携帯型電子機器では、一般に、操作キースイッチをその機器本体の天面或いは側面に配設した構成となっている。このような構成による従来の携帯型電子機器では、携帯型電子機器を片手、例えば左手で持って各操作キースイッチをその左手の指で操作しようとした場合、機器本体を単に保持する際の手の形と操作キースイッチを操作する際の手の形とが異なるため操作性が悪くなり、また操作時には、指による機器本体の握り力が弱くなるため機器本体の保持が不安定になる問題があった。
【０００３】
一方、このような問題点を解決する１つとして、登録実用新案第３００１９８７号の公報に示される携帯型パソコンがある。このパソコンでは、本体側面の中央部に該側面から天面に亙って略々９０゜の角度で欠損させた欠損部を設けるとともに、該欠損部にポインテイングデバイスの一つであるトラックボールユニットを回転自在に設けて、携帯型パソコンの本体及び側面の両方からトラックボールを操作できるようにしている。
【０００４】
【発明が解決しようとする課題】
しかし乍ら、この従来の携帯型パソコンでは、トラックボールを本体天面及び側面の両方から操作できることから、操作性は向上するが、トラックボールと対で使用するボタン型キースイッチの角度は変更できないため、この点についての操作性は改善されていなかった。
【０００５】
【課題を解決するための手段】
本発明は上記従来技術の問題点に鑑みて発明されたものであり、請求項１に記載された発明の片手操作可能な携帯型電子機器は、機体本体を片手で保持して片手操作可能にしたものにおいて、筐状体からなる機器本体の上側面の角部において該上側面、天面及び左または右の横側面或いは上記上側面、底面及び左又は右の横側面のうちの何れか３つの面に亙って面取りをして傾斜面を形成し、該傾斜面に上記機器本体内に設けた操作スイッチを操作する操作ノブを少なくとも１つ配設したことを特徴とするものである。
【０００６】
この構成によれば、機器本体を片手で持った場合、機器本体を包み込むように保持することができることから、保持する手の指の位置が丁度機器本体の操作ノブの位置に来ることになる。その結果、機器本体を手のひらの大部分で安全に保持しながら、操作ノブを持った手の指先で片手操作することができる。
【０００７】
請求項２に記載された発明の片手操作可能な携帯型電子機器は、請求項１に記載された片手操作可能な携帯型電子機器において、上記傾斜面に通孔を設け、上記操作スイッチのスイッチ軸を上記通孔を通して上記傾斜面上に臨出させてその先端に上記操作ノブを固着したことを特徴とするものである。
【０００８】
この構成によれば、機器本体を片手で持った場合、機器本体を包み込むように保持することができることから、保持する手の指の位置が丁度機器本体の操作ノブの位置に来ることになる。その結果、機器本体を手のひらの大部分で安全に保持しながら、操作ノブを持った手の指先で簡単に片手操作することができる。しかも、この発明では、操作スイッチのスイッチ軸を通孔を通して傾斜面上に臨出させてその先端に操作ノブを固着するので、操作ノブの保守点検や交換を簡単に行うことができる。
【０００９】
請求項３に記載された発明の片手操作可能な携帯型電子機器は、請求項１又は２に記載した片手操作可能な携帯型電子機器において、上記操作ノブの外形を上記傾斜面の外形より大きくするとともに上記操作ノブの周縁部を上記機器本体の対向する面に平行に形成したことを特徴とするものである。
【００１０】
この構成によれば、機器本体を片手で持った場合、機器本体を包み込むように保持することができることから、保持する手の指の位置が丁度機器本体の操作ノブの位置に来ることになる。しかも、操作ノブの外形が傾斜面の外形より少し大きく形成されているので、操作ノブを指先で確実に操作でき操作性が良くなるその結果、機器本体を手のひらの大部分で安全に保持しながら、操作ノブを持った手の指先で簡単に、かつより確実に片手操作することができる。
【００１１】
請求項４に記載された発明の片手操作可能な携帯型電子機器は、請求項１、２又は３に記載した片手操作可能な携帯型電子機器において、上記操作ノブを上記傾斜面上で摺動させるようにしてスクロールできる構成とし、該スクロール動作によって上記操作スイッチを制御するようにしたことを特徴とするものである。
【００１２】
この構成によれば、機器本体を片手で持った場合、機器本体を包み込むように保持することができることから、保持する手の指の位置が丁度機器本体の操作ノブの位置に来ることになる。しかも、上記操作ノブを上記傾斜面上で摺動させるようにしてスクロールできる構成とし、該スクロール動作によって上記操作スイッチを制御するので、操作スイッチをよりこまやかに操作することができる。その結果、機器本体を手のひらの大部分で安全に保持しながら、操作ノブを持った手の指先で簡単に、かつより確実に片手操作することができる。
【００１３】
請求項５に記載された発明の片手操作可能な携帯型電子機器は、本体を片手で保持して片手操作可能にしたものにおいて、筐状体からなる機器本体の上側面の角部において該上側面、天面及び左の横側面に跨る部分と上記上側面、天面及び右横側面に跨る部分にそれぞれ傾斜面を形成し、これら両傾斜面に操作ノブを配設するとともにこれら操作ノブで操作される操作スイッチをそれぞれ上記機器本体内に儲けたことを特徴とするものである。
【００１４】
この構成によれば、機器本体を片手で持った場合、機器本体を包み込むように保持することができることから、保持する手の指の位置が丁度機器本体の操作ノブの位置に来ることになる。しかも、機器本体の上側面と天面が連なる上側面の両角部に傾斜面を形成し、これら両傾斜面に操作ノブを配設しているので、機器本体を保持する手の複数の指先で同時に細やかで、かつ多くの機能について操作することができることになる。その結果、機器本体を手のひらの大部分で安全に保持しながら、操作ノブを持った手の指先で簡単に、かつより確実かつ細やかに片手操作することができる。
【００１５】
請求項６に記載された発明の片手操作可能な携帯型電子機器は、請求項１、２、３又は４に記載された片手操作可能な携帯型電子機器において、上記機器本体の上側面の角部の対角の位置に上記傾斜面を設け、これら２つの傾斜面にそれぞれ上記操作ノブを配設するとともにこれら操作ノブで操作される操作スイッチをそれぞれ上記機器本体内に設けたことを特徴とするものである。
【００１６】
この構成によれば、機器本体を片手で持った場合、機器本体を包み込むように保持することができることから、保持する手の指の位置が丁度機器本体の操作ノブの位置に来ることになる。しかも、機器本体の上側面と天面または上側面と底面が連なる上側面の対角の位置の角部に傾斜面を形成し、これら両傾斜面に操作ノブを配設しているので、機器本体を保持する手の親指や人指し指先等の複数の指先で同時に細やかで、かつ多くの機能について操作することができることになる。その結果、機器本体を手のひらの大部分で安全に保持しながら、操作ノブを持った手の指先で簡単に、かつより確実かつ細やかに片手操作することができる。
【００１７】
請求項７に記載された発明の片手操作可能な携帯型電子操作機器は、機器本体を片手で保持して片手操作可能にしたものにおいて、筐状体からなる機器本体の上側面の角部において該上側面、天面及び左の横側面に跨る部分と上記上側面、天面及び右横側面に跨る部分にそれぞれ操作ノブの連結軸を通す通孔を有する傾斜面を形成するとともに上記機器本体内にこれら各傾斜面に対応して操作スイッチを設け、上記傾斜面の何れか１つに操作ノブを配設することにより該操作ノブが配設された傾斜面に対応する上記操作スイッチを選択して操作できるようにしたことを特徴とするものである。
【００１８】
この構成によれば、機器本体を片手で持った場合、機器本体を包み込むように保持することができることから、保持する手の指の位置が丁度機器本体の操作ノブの位置に来ることになる。しかも、機器本体の上側面、天面及び左の横側面に跨る部分と上記上側面、天面及び右横側面に跨る部分にそれぞれ傾斜面を形成し、これら傾斜面の何れか１つに操作ノブを配設することにより該操作ノブが配設された傾斜面に対応する上記操作スイッチを選択して操作できるようにしているので、使用者の利き手に合せて操作ノブの位置を代えて使用することができる。その結果、機器本体を手のひらの大部分で安全に保持しながら、操作ノブを持った手の指先で簡単に、かつより確実かつ細やかに片手操作することができる。しかも、使用者の利き手に合せて操作ノブの位置を代えて使用することができる。
【００１９】
請求項８に記載された発明の片手操作可能な携帯型電子機器は、請求項７に記載された片手操作可能な携帯型電子機器において、上記傾斜面の内上記操作ノブを配設しない傾斜面の通孔をキャップで閉塞するようにしたことを特徴とするものである。
【００２０】
この構成によれば、機器本体を片手で持った場合、機器本体を包み込むように保持することができることから、保持する手の指の位置が丁度機器本体の操作ノブの位置に来ることになる。しかも、機器本体の上側面、天面及び横側面に跨る部分と上記上側面、天面及び右横側面に跨る部分にそれぞれ傾斜面を形成し、これら傾斜面の何れか１つに操作ノブを配設することにより該操作ノブが配設された傾斜面に対応する上記操作スイッチを選択して操作できるようにしているので、使用者の利き手に合せて操作ノブの位置を変えて使用することができる。その上、使用しない傾斜面側の通孔はキャップで閉塞することになる。その結果、機器本体を手のひらの大部分で安全に保持しながら、操作ノブを持った手の指先で簡単に、かつより細やかに片手操作することができる。しかも、使用者の利き手に併せて操作ノブの位置を代えて使用することができるとともに使用しない傾斜面側の通孔はキャップで閉塞するので、通孔を通じて塵芥が進入するのを阻止することができるとともに外観を損なうこともない。
【００２１】
請求項９に記載された発明の片手操作可能な携帯型電子機器は、請求項１乃至８のいずれかに記載された片手操作可能な携帯型電子機器において、上記機器本体に上記操作スイッチ、電源スイッチ等の各種スイッチのＯＮ、ＯＦＦ操作を無効にするロックスイッチを設けたことを特徴とするものである。
【００２２】
この構成によれば、ロックスイッチを操作するだけで、操作スイッチ、電源スイッチ等の各種スイッチのＯＮ、ＯＦＦ操作を無効にすることができる。その結果、携帯型電子機器を単に持ち運びするとき等、操作する必要のないとき、ロックスイッチを操作して操作スイッチ、電源スイッチ等の各種のスイッチの機能を無効にしておくことができ、携帯型電子機器の不必要な操作をそしすることができる。
【００２３】
【発明の実施の形態】
＜第１の実施態様＞
図１は本発明の第１の実施態様の携帯型電子機器の外観斜視図、図２（Ａ）、（Ｂ）及び（Ｃ）は、同携帯型電子機器の正面図、左側面図及び平面図である。これらの図において、１は機器本体であり、その正面である天面に種々の情報を表示する液晶デイスプレイ等の表示部２を備えている。
【００２４】
３は、この機器本体１の上部の一方角部において天面、左横側面及び上側面に亙って面取りして形成された三角形を呈している傾斜面であり、該傾斜面３には、操作スイッチの操作ノブ４が配設されている。この操作ノブ４は、傾斜面３より少し小さくて傾斜面３と同形の三角形の部材より形成されている。図３は、機器本体１を図２（Ａ）に示す線Ｉ−Ｉで切断して視た図であり、この図から明かなように、上記操作ノブ４は、上記機器本体１内に設置されている操作スイッチ６より導出され傾斜面３に設けられた通孔５を挿通して機器本体１外に延びているスイッチ軸７の上端に固着されている。
【００２５】
この操作スイッチ６は、機器本体１内底面に設置された基台８上に固定されて図３に示すように上記傾斜面３と平行に配置されている。
そして、この操作スイッチ６は、図４に示すように矢印Ｘで示す２方向にスクロールすることができるスイッチであってもよい。
【００２６】
本発明の第１の実施態様の携帯型電子機器は、上述のように構成されるものであるから、操作ノブ４を図１の矢印Ｘで示す前後２方向に摺動させることができ、この操作ノブ４の前後操作によって携帯型電子機器の機能を制御することができる。
【００２７】
特に、当該機器本体１を片手で持った場合、機器本体１を包み込むように保持することができることから、保持する手の指の位置が丁度機器本体１の操作ノブ４の位置に来ることになり、従って、機器本体１を手のひらの大部分で安全に保持しながら、操作ノブ４を簡単に片手操作することができる。
【００２８】
＜第２の実施態様＞
図５は本発明の第２の実施態様の携帯型電子機器の外観斜視図、図６（Ａ）、（Ｂ）及び（Ｃ）は、同携帯型電子機器の正面図、左側面図及び上面図、そして図７は、機器本体１を図６（Ａ）に示す線ＩＩ−ＩＩで切断して視た図である。
【００２９】
これらの図から明らかなように、この第２の実施態様の携帯型電子機器は、操作ノブの形状が上記第１の実施態様の携帯型電子機器と異なるのみで、その他の構成は全く同じである。即ち、ここでは操作ノブ４は、三角形の板材の周辺を斜め下方に延長させた逆皿状態から形成されており、そして、その延長部４ａ、４ｂ及び４ｃを、それぞれ機器本体１の天面、左側面及び上側面の各面と一定の間隙ａを保つように各面上に延長させている。
【００３０】
図８は、機器本体１を図６（Ａ）のＩＩＩ−ＩＩＩで切断して視た図であり、この図より明らかなように、操作ノブ４は、二点鎖線で示す範囲内で異動することができる。
【００３１】
第２の実施態様の携帯型電子機器は、上述のように構成されるものであるから、操作ノブ４を図５の矢印Ｘで示す前後２方向に摺動させることができ、この操作ノブ４の前後操作によって携帯型電子機器の機能を制御することができる。特に、当該機器本体１を片手で持った場合、機器本体１を包み込むように保持することができることから、保持する手の指の位置が丁度機器本体１の操作ノブ４の位置に来ることになり、従って、機器本体１を手のひらの大部分で安全に保持しながら、操作ノブ４を簡単に片手操作することができる。
【００３２】
また、この第２の実施態様の携帯型電子機器では、操作ノブ４を上記第１の実施態様の操作ノブと異なり、傾斜面３より大きくするとともに立体的に形成しているので、より操作性を向上させることができる。
【００３３】
＜第３の実施態様＞
図９は、本発明の第３の実施態様の携帯型電子機器の要部を示す図であり、この図より明らかなように、この第３の実施態様の携帯型電子機器では、傾斜面３に設けられている操作ノブ４を上記第１及び第２の実施態様の携帯型電子機器とは異なり、矢印Ｘ及びＹで示す前後４方向に摺動させることができるように構成している。従って、図１０に示すように操作スイッチ７は矢印Ｘ及びＹ方向で示す４方向にスクロールすることができる。
【００３４】
本発明の第３の実施態様の携帯型電子機器は、上述のように構成されるものであるから、操作ノブ４を４方向にスクロールさせることができ、この操作ノブ４の前後操作によって携帯型電子機器の機能を制御することができる。特に、当該機器本体１を片手で持った場合、機器本体１を包み込むように保持することができることから、保持する手の指の位置が丁度機器本体１の操作ノブ４の位置に来ることになり、従って、機器本体１を手のひらの大部分で安全に保持しながら、操作ノブ４を簡単に片手操作することができる。
【００３５】
＜第４の実施態様＞
図１１は本発明の第４の実施態様の携帯型電子機器の外観斜視図、図１２（Ａ）、（Ｂ）、（Ｃ）及び（Ｄ）は、同携帯型電子機器の正面図、左側面図、右側面図及び上面図である。
【００３６】
これらの図より明らかなように、この第４の実施態様の携帯型電子機器では、機器本体１の上部の天面、左右横側面及び上側面に跨る両各部に、上記第１の実施態様の傾斜面と同様の傾斜面３Ｌ及び３Ｒを設けるとともにこれら各傾斜面に上記第１の実施態様の操作ノブと同様の操作ノブ４Ｌ、４Ｒをそれぞれ設けている。勿論、機器本体１内には、図示はしていないが、各操作ノブ４毎に上記第１の実施態様における操作スイッチと同じ機械的構成の操作スイッチをそれぞれ対応して設けている。各操作ノブ４Ｌ、４Ｒはそれぞれ矢印Ｘで示す２方向に摺動することができ、その動きに応じて対応する操作スイッチを操作することができる。
【００３７】
本発明の第４の実施態様の携帯型電子機器は上述のように構成されるものであるから、２つの操作ノブ４Ｌ及び４Ｒをそれぞれ２方向に摺動させることができ、この操作ノブ４Ｌ及び４Ｒの前後操作によって各操作スイッチをスクロールさせて携帯型電子機器の機能を制御することができる。
【００３８】
特に、当該機器本体１を片手で持った場合、機器本体１を包み込むように保持することができることから、保持する手の指の位置が丁度機器本体１の操作ノブ４Ｌ、４Ｒの位置に来ることになり、従って、機器本体１を手のひらの大部分で安全に保持しながら、両操作ノブ４Ｌ、４Ｒを簡単に片手操作することができる。
【００３９】
＜第５の実施態様＞
図１３は本発明の第５の実施態様の携帯型電子機器の外観斜視図、図１４（Ａ）、（Ｂ）、（Ｃ）及び（Ｄ）は、同携帯型電子機器の正面図、左側面図、右側面図及び平面図である。
【００４０】
これらの図より明らかなように、この第５の実施態様の携帯型電子機器では、機器本体１の上部において底面、左横側面及び上側面に跨る部分と天面、右横側面及び上側面に跨る部分の２つの各部に、それぞれ上記第１の実施態様の傾斜面と同様の傾斜面３Ｌ及び３Ｒを備えている。そして、各傾斜面に上記第１の実施態様の操作ノブと同様の操作ノブ４Ｌ、４Ｒをそれぞれ設けている。
【００４１】
勿論、機器本体１内には、各操作ノブ４Ｌ及び４Ｒ毎に上記第１の実施態様における操作スイッチと同じ機械的構成の操作スイッチを対応して設けている。各操作ノブ４Ｌ、４Ｒはそれぞれ矢印Ｘで示す２方向に摺動することができ、その動きに応じて対応する操作スイッチを操作することができる。
【００４２】
本発明の第５の実施態様の携帯型電子機器は上述のように構成されるものであるから、２つの操作ノブ４Ｌ及び４Ｒをそれぞれ２方向に摺動させることができ、この操作ノブ４Ｌ及び４Ｒの前後操作によって各操作スイッチをスクロールさせて携帯型電子機器の機能を制御することができる。
【００４３】
特に、当該機器本体１を片手で持った場合、図１５に示すように、機器本体１を包み込むように保持することができる上に、保持する手の親指９が丁度操作ノブ４Ｒの位置に、また人指し指１０が操作ノブ４Ｌの位置にそれぞれ来ることになり、従って、機器本体１を手のひらの大部分で安全に保持しながら、両操作ノブ４Ｌ、４Ｒを簡単に片手操作することができる。尚、第５の実施態様は携帯型電子機器を右手で持つように設計した例を示しているが、傾斜面３Ｌ、３Ｒをそれぞれ左上天面部とこれと対角の位置の右上底面部に設けることによって左手で持つようにすることができる。
【００４４】
＜第６の実施態様＞
図１６は本発明の第６の実施態様の携帯型電子機器の外観斜視図、図１７は、同携帯型電子機器の正面図である。これらの図より明らかなように、この第６の実施態様の携帯型電子機器では、機器本体１の上部の両角部において天面、左右横側面及び上側面に跨って面取りした傾斜面３Ｌ、３Ｒを備えるとともに機器本体１内には、図１８及び図１９に示すように、上記各傾斜面３Ｌ及び３Ｒに対向させてそれぞれ同じ機能を有する操作スイッチ６Ｌ及び６Ｒを備えている。そして、本実施態様の特徴とするところは、一方の傾斜面、即ち左の傾斜面３Ｌにのみ操作ノブ４を設け、また他方の傾斜面３Ｒには通孔５Ｌを隠すキャップ１１を嵌着している。
【００４５】
この操作ノブ４は図１８に示すように、傾斜面３Ｌに対向する裏面に先端に連結穴４ｂを有する連結軸４ａを備え、この連結軸４ａを通孔５Ｌを通して機器本体１内に挿入させて連結穴４ｂを操作スイッチ６Ｌのスイッチ軸７Ｌに着脱可能に嵌着することにより操作スイッチ６Ｌと連結され該操作スイッチ６Ｌを操作できるようになっている。
【００４６】
一方、上記キャップ１１はゴムや合成樹脂などの部材で形成されたもので、上端周縁に鍔部１１ａを備えるとともに下端面に逃げ穴１１ｂを備えた形状を成している。そして、このキャップ１１は、傾斜面３Ｒの通孔５Ｒに嵌められたとき、その逃げ穴１１ｂに操作スイッチ６Ｒのスイッチ軸７Ｒの先端部が入り込むこととなる。
【００４７】
本発明の第６の実施態様の携帯型電子機器は上述のように構成されるものであるから、例えば、左手の親指或いは右手の人指し指で操作するのが得意な使用者が携帯型電子機器を使用する場合、図１６、図１７に示すように傾斜面３Ｌ側に操作ノブ４を宛がうことにより該操作ノブ４で操作スイッチ６Ｌを操作することができる。この場合、キャップ１１で傾斜面３Ｒの通孔５を閉塞することにより該通孔５Ｒを隠すことができる。
【００４８】
また、右手の親指或いは左手の人指し指で操作するのが得意な使用者が携帯型電子機器を使用する場合、上記傾斜面３Ｒ側に操作ノブ４を宛がうとともに通孔５Ｌにキャップ１１を嵌着して使用することで、操作スイッチ６Ｌを操作することができる。
【００４９】
＜第７の実施態様＞
本発明では、上記各実施態様において符号１２で示すロックスイッチを備え、上記操作スイッチ６や電源スイッチ（図示せず）或いはその他のスイッチのＯＮ／ＯＦＦ操作を無効化できるようになっている。
【００５０】
このロックスイッチ１２のキー入力信号は、図２０に示すプログラム処理が行われ、ロックスイッチ１２が０Ｎの場合キー入力待ちを持続して操作スイッチ等のキー操作を受付ない状態を維持し、またロックスイッチがＯＦＦの場合キー入力を待ってキー入力があればそのキー入力を受け付ける状態となる。
【００５１】
【発明の効果】
本発明は上述のように構成されるものであり、請求項１に記載された発明によれば、機器本体を片手で持った場合、機器本体を包み込むように保持することができることから、保持する手の指の位置が丁度機器本体の操作ノブの位置に来ることになる。従って、機器本体を手のひらの大部分で安全に保持しながら、操作ノブを持った手の指先で簡単に片手操作することができる。
【００５２】
請求項２に記載された発明によれば、機器本体を片手で持った場合、機器本体を包み込むように保持することができることから、保持する手の指の位置が丁度機器本体の操作ノブの位置に来ることになる。従って、機器本体を手のひらの大部分で安全に保持しながら、操作ノブを持った手の指先で簡単に片手操作することができる。しかもこの発明では、操作スイッチのスイッチ軸を通孔を通して傾斜面上に臨出させてその先端に操作ノブを固着するので、操作ノブの保守点検や交換が簡単に行うことができる。
【００５３】
請求項３に記載された発明によれば、機器本体を片手で持った場合、機器本体を包み込むように保持することができることから、保持する手の指の位置が丁度機器本体の操作ノブの位置に来ることになる。しかも、操作ノブの外形が傾斜面の外形より少し大きく形成されているので、操作ノブを指先で確実に操作でき操作性が良くなる。従って、機器本体を手のひらの大部分で安全に保持しながら、操作ノブを持った手の指先で簡単に、かつより確実に片手操作することができる。
【００５４】
請求項４に記載された発明によれば、機器本体を片手で持った場合、機器本体を包み込むように保持することができることから、保守する手の指の位置が丁度機器本体の操作ノブの位置に来ることになる。しかも、上記操作ノブを上記傾斜面上で摺動させるようにしてスクロールできる構成とし、該スクロール動作によって上記操作スイッチを制御するので、操作スイッチをよりこまやかに操作することができる。従って、機器本体を手のひらの大部分で安全に保持しながら、操作ノブを持った手の指先で簡単に、かつより確実に片手操作することができる。
【００５５】
請求項５に記載された発明によれば、機器本体を片手で持った場合、機器本体を包み込むように保持することができることから、保持する手の指の位置が丁度機器本体の操作ノブの位置に来ることになる。しかも、機器本体の上側面と天面が連なる上側面の両角部に傾斜面を形成し、これら両傾斜面に操作ノブを配設しているので、機器本体を保持する手の複数の指先で同時に細やかで、かつ多くの機能について操作することができることになる。従って、機器本体を手のひらの大部分で安全に保持しながら、操作ノブを持った手の指先で簡単に、かつより確実かつ細やかに片手操作することができる。
【００５６】
請求項６に記載された発明によれば、機器本体を片手で持った場合、機器本体を包み込むように保持することができることから、保持する手の指の位置が丁度機器本体の操作ノブの位置に来ることになる。しかも、機器本体の上側面と天面または上側面と底面が連なる上側面の対角の位置の角部に傾斜面を形成し、これら両傾斜面に操作ノブを配設しているので、機器本体を保持する手の親指や人指し指等の複数の指先で同時に細やかで、かつ多くの機能について操作することができることになる。
【００５７】
従って、機器本体を手のひらの大部分で安全に保持しながら、操作ノブを持った手の指先で簡単に、かつより確実かつ細やかに片手操作することができる。
請求項７に記載された発明によれば、機器本体を片手で持った場合、機器本体を包み込むように保持することができることから、保持する手の指の位置が丁度機器本体の操作ノブの位置に来ることになる。
【００５８】
しかも、機器本体の上側面、天面及び左の横側面に跨る部分と上記上側面、天面及び右横側面に跨る部分にそれぞれ傾斜面を形成し、これら傾斜面の何れか１つに操作ノブを配設することにより該操作ノブが配設された傾斜面に対応する上記操作スイッチを選択して操作できるようにしているので、使用者の利き手に併せて操作ノブの位置を代えて使用することができる。従って、機器本体を手のひらの大部分で安全に保持しながら、操作ノブを持った手の指先で簡単に、かつより確実かつ細やかに片手操作することができる。しかも、使用者の利き手に併せて操作ノブの位置を代えて使用することができる。
【００５９】
請求項８に記載された発明によれば、機器本体を片手で持った場合、機器本体を包み込むように保持することができることから、保持する手の指の位置が丁度機器本体の操作ノブの位置に来ることになる。
【００６０】
しかも、機器本体の上側面、天面及び左の横側面に跨る部分と上記上側面、天面及び右横側面に跨る部分にそれぞれ傾斜面を形成し、これら傾斜面の何れか１つに操作ノブを配設することにより該操作ノブが配設された傾斜面に対応する上記操作スイッチを選択して操作できるようにしているので、使用者の利き手に併せて操作ノブの位置を代えて使用することができる。その上、使用しない傾斜面側の通孔はキャップで閉塞することになる。
【００６１】
従って、機器本体を手のひらの大部分で安全に保持しながら、操作ノブを持った手の指先で簡単に、かつより確実かつ細やかに片手操作することができる。しかも、使用者の利き手に併せて操作ノブの位置を代えて使用することができるとともに使用しない傾斜面側の通孔はキャップで閉塞するので、通孔を通じて塵芥が進入するのを阻止することができるとともに外観を損なうこともない。
請求項９に記載された発明によれば、ロックスイッチを操作するだけで、操作スイッチ、電源スイッチ等の各種スイッチのＯＮ、ＯＦＦ操作を無効にすることができる。
【００６２】
従って、携帯型電子機器を単に持ち運びするとき等、操作する必要のないとき、
ロックスイッチを操作して操作スイッチ、電源スイッチ等の各種スイッチの機能を無効にしておくことができ、携帯型電子機器の不必要な操作を阻止することができる。
【図面の簡単な説明】
【図１】本発明の第１の実施態様にかかる携帯型電子機器の外観斜視図である。
【図２】同上携帯型電子機器を３方より視た図で、（Ａ）は正面図、（Ｂ）は左側面図及び（Ｃ）は平面図である。
【図３】同上携帯型電子機器を図２（Ａ）において線Ｉ−Ｉで切断して視た要部断面図である。
【図４】同上携帯型電子機器に備えられている操作スイッチのスクロールを説明する図である。
【図５】本発明の第２の実施態様に係る携帯型電子機器の外観斜視図である。
【図６】同上第２の実施態様に係る携帯型電子機器を３方より視た図で、（Ａ）は正面図、（Ｂ）は左側面図及び（Ｃ）は平面図である。
【図７】同上携帯型電子機器を図６（Ａ）において線ＩＩ−ＩＩで切断して視た要部断面図である。
【図８】同上携帯型電子機器を図６（Ａ）において線ＩＩＩ−ＩＩＩで切断して視た要部断面図である。
【図９】本発明の第３の実施態様の携帯型電子機器の要部を示す図である。
【図１０】同上第３の実施態様の携帯型電子機器に備えられている操作スイッチのスクロールを説明する図である。
【図１１】本発明の第４の実施態様に係る携帯型電子機器の外観斜視図である。
【図１２】同上第４の実施態様に係る携帯型電子機器を３方より視た図で、（Ａ）は正面図、（Ｂ）は左側面図、（Ｃ）は平面図及び（Ｄ）は右側面図である。
【図１３】本発明の第５の実施態様に係る携帯型電子機器の外観斜視図である。
【図１４】同上第５の実施態様に係る携帯型電子機器を３方より視た図で、（Ａ）は正面図、（Ｂ）は左側面図、（Ｃ）は平面図及び（Ｄ）は右側面図である。
【図１５】同上第５の実施態様に係る携帯型電子機器の使用態様を示す外観斜視図である。
【図１６】本発明の第６の実施態様に係る携帯型電子機器の外観斜視図である。
【図１７】同上第６の実施態様に係る携帯型電子機器の正面図である。
【図１８】同上第６の実施態様に係る携帯型電子機器を図１７において線ＩＶ−ＩＶで切断して視た要部断面図である。
【図１９】同上携帯型電子機器を図１７において線Ｖ−Ｖで切断して視た要部断面図である。
【図２０】本発明の第７の実施態様に係る携帯型電子機器において、ロックスイッチのプログラム処理を示すフローチャートである。
【符号の説明】
１  機器本体
３、３Ｌ、３Ｒ  傾斜面
４、４Ｌ、４Ｒ  操作ノブ
４ａ、４ｂ、４ｃ  延長部
５  通孔
６  操作スイッチ
７  スイッチ軸
１１  キャップ
１２  ロックスイッチ
【図１】
0003563708.tif 000002
【図２】
0003563708.tif 000003
【図３】
0003563708.tif 000004
【図４】
0003563708.tif 000005
【図５】
0003563708.tif 000006
【図６】
0003563708.tif 000007
【図７】
0003563708.tif 000008
【図８】
0003563708.tif 000009
【図９】
0003563708.tif 000010
【図１０】
0003563708.tif 000011
【図１１】
0003563708.tif 000012
【図１２】
0003563708.tif 000013
【図１３】
0003563708.tif 000014
【図１４】
0003563708.tif 000015
【図１５】
0003563708.tif 000016
【図１６】
0003563708.tif 000017
【図１７】
0003563708.tif 000018
【図１８】
0003563708.tif 000019
【図１９】
0003563708.tif 000020
【図２０】
0003563708.tif 000021